(57)【特許請求の範囲】
【請求項１】
画像形成装置本体に出入可能であり、トナー容器を支持する容器受け部、
該容器受け部に設けられ、前記トナー容器の開口部材を変位させる開口部材受け部及び、
前記画像形成装置本体に設けられ、前記容器受け部に支持されたトナー容器が前記画像形成装置に挿入された時に、前記開口部材又は前記開口部材受け部に作用して前記トナー容器のトナー排出口を開口する開口部材作用部、を有し、
前記トナー容器を前記画像形成装置本体内の収納位置に挿入する動作で、前記開口部材作用部により前記開口部材を変位させて、前記トナー排出口を開口し、
前記トナー容器を前記画像形成装置本体内の収納位置から取り出す動作で、前記開口部材受け部により開口部材を変位させて前記トナー排出口を閉じることを特徴とする画像形成装置。
【請求項２】
前記容器受け部と前記画像形成装置本体との間に出入を案内するスライドレールを設けたことを特徴とする請求項１に記載の画像形成装置。
【請求項３】
前記画像形成装置本体が前記トナー容器の装着部のみを開放可能とする扉を有することを特徴とする請求項１又は請求項２に記載の画像形成装置。
【請求項４】
前記扉の開放及び前記容器受け部の取り出しを前記画像形成装置本体を停止させることなく行うことを可能にしたことを特徴とする請求項１〜３のいずれか１項に記載の画像形成装置。
【請求項５】
前記容器受け部に、該容器受け部の前記画像形成装置本体からの取り出しをロックする解除可能なロック手段を設けたことを特徴とする請求項１〜４のいずれか１項に記載の画像形成装置。
【請求項６】
前記容器受け部は前記画像形成装置本体の前面と後面とを結ぶ奥行き方向の側壁に平行に出入可能であることを特徴とする請求項１〜５のいずれか１項に記載の画像形成装置。
【請求項７】
前記開口部材受け部は前記画像形成装置本体側の係止部材に係止されるフックを有し、
前記容器受け部を前記画像形成装置本体から引き出す際に、前記係止部材への前記フックの係止により、前記開口部材受け部が前記容器受け部に対して変位して前記開口部材が前記トナー排出口を覆う方向に移動してから、前記係止部材への前記フックの係止が開放され、前記トナー容器を取り外し可能な位置まで前記容器受け部と前記開口部材受け部とが引き出されることを特徴とする請求項１〜６のいずれか１項に記載の画像形成装置。
【発明の詳細な説明】
【０００１】
【発明の属する技術分野】
本発明は、複写機、ファクシミリ、プリンタ等として用いられる電子写真方式の画像形成装置に関し、特に、トナー容器の装着部の改良に関する。
【０００２】
【従来の技術】
電子写真方式の画像形成装置では、画像形成により消費されたトナーはトナー容器を用いて補給されるのが一般的である。
【０００３】
トナー容器から画像形成装置にトナーを移す方式としては、一時にトナーをトナー容器から画像形成装置に移し、トナー容器を画像形成装置に装着することをしない方式と、トナー容器を画像形成装置に装着して、消費された分を順次トナー容器から画像形成装置に供給し、空になった段階でトナー容器を画像形成装置から取り出す方式とがある。
【０００４】
後者の方式は、オペレータが行うトナー補給作業にトナー容器を開封する等のトナー飛散の原因になる作業がなくなることから望ましいとされ、多用される傾向にある。
【０００５】
例えば、特開平１０−２１３９５７号公報では、トナー容器内壁に螺旋状の突起を設けて、トナー容器の回転により螺旋状突起のトナー搬送作用でトナーを取り出して、画像形成により消費された分のトナーを補給するトナー容器及びトナー補給装置が開示されている。
【０００６】
トナー容器から一時に画像形成装置のトナーホッパーに投入する方式及びトナー容器を画像形成装置に装着する方式いずれの場合にも、トナーホッパーは多くの場合画像形成装置の前面部に設けられている。トナー補給の際には、ジャム処理等において画像形成装置の内部を開放する前扉を開放してトナーホッパーを露出させ、トナー容器からトナーを投入するか又は前記前扉を開放してトナー容器をトナー補給部に装着している。このようなトナー補給作業においては、前記前扉を開放して行われるので、画像形成装置を停止させることにより行われる。
【０００７】
【発明が解決しようとする課題】
（１）トナー容器を画像形成装置に装着し、画像形成により消費された分のトナーをトナー容器から順次取り出す方式においても従来では、トナー容器を交換するのに次のような手順を踏む必要があった。
【０００８】
▲１▼画像形成装置の前扉を開ける。
▲２▼容器受け部を画像形成装置本体の外に出す。
【０００９】
▲３▼レバー操作で空のトナー容器を容器受け部から外す。なお、このレバー操作によりトナー容器のトナー排出口が閉鎖される。
【００１０】
▲４▼空のトナー容器を容器受け部から取り出す。
▲５▼新しいトナー容器を容器受け部に装着し、レバー操作でトナー容器を容器受け部に据え付ける。このレバー操作によって、トナー容器のトナー排出口が開口する。
【００１１】
▲６▼トナー容器が据え付けられたトナー受け部を画像形成装置本体内の所定位置に戻す。
【００１２】
▲７▼前扉を閉じる。
トナー容器から補給された分のトナーを順次補給するトナー補給方式は、オペレータの操作が簡単であるという利点を持っていることは前記に説明したとおりであるが、このように従来のトナー補給方式では、トナー容器から順次トナーを補給する方式であっても、なおトナー容器の交換時に７段階の操作手順を踏む必要があって複雑であり、操作性がよいとは言えない。
【００１３】
本発明の目的は、トナー容器から順次トナーを補給するトナー補給方式の利点を十分に生かして、オペレータが簡単にトナー補給を行うことができるトナー補給装置を備えた画像形成装置を提供することを目的とする。
【００１４】
（２）オペレータが行うトナー補給作業は、従来の画像形成装置では、扉を開放することにより、画像形成装置を停止させてトナー容器を画像形成装置に装着するものであった。従って、トナー補給作業が行われている間は画像形成を行うことが出来ないという不便さがあった。更に、作動を再開するときには、ウォームアップタイムがあるために、トナー補給に伴う画像形成装置の停止時間は長くなるという問題がある。
【００１５】
特に、画像形成装置をネットワークプリンタとして使用する場合には、画像形成装置から離れた所で操作をするオペレータにとっては、画像形成装置が長時間停止することが著しく不便さを感じさせるものとなる。
【００１７】
（３）トナー容器を画像形成装置に装着し、装着されたトナー容器から順次トナーを補給する方式の従来の画像形成装置を図１に示す。図示のように、トナー容器１０は画像形成装置の前面部に装填される。トナー容器１０を交換するときには、扉１００Ａ、１００Ｂを開放して、容器受け部２１を軸２１Ａを中心として回転して画像形成装置の外に取り出し、トナー容器１０の交換を行う。
【００１８】
このようなトナー容器１０の装着部の構成では、トナー容器を収納するスペースを画像形成装置前面部に設けるために、画像形成装置の奥行きＬを大きく取る必要がある。このために画像形成装置の設置スペースが大きくなるという問題がある。
【００１９】
近年、画像形成装置の高速化と、ネットワーク化に伴って１台当たりの画像形成量が増大し、画像形成量の増大に対応して大容量のトナー容器を装備した画像形成装置が要望される傾向にある。このような要望を満たすには画像形成装置の奥行きが更に増大し、画像形成装置の設置スペースの増大が重大な問題となる。
【００２１】
【課題を解決するための手段】
前記の本発明の目的は下記の発明により達成される。
【００２２】
１．画像形成装置本体に出入可能であり、トナー容器を支持する容器受け部、該容器受け部に設けられ、前記トナー容器の開口部材を変位させる開口部材受け部及び、前記画像形成装置本体に設けられ、前記容器受け部に支持されたトナー容器が前記画像形成装置に挿入された時に、前記開口部材又は前記開口部材受け部に作用して前記トナー容器のトナー排出口を開口する開口部材作用部、を有し、前記トナー容器を前記画像形成装置本体内の収納位置に挿入する動作で、前記開口部材作用部により前記開口部材を変位させて、前記トナー排出口を開口し、前記トナー容器を前記画像形成装置本体内の収納位置から取り出す動作で、前記開口部材受け部により開口部材を変位させて前記トナー排出口を閉じることを特徴とする画像形成装置。
【００２３】
２．前記容器受け部と前記画像形成装置本体との間に出入を案内するスライドレールを設けたことを特徴とする前記１に記載の画像形成装置。
【００２４】
３．前記画像形成装置本体が前記トナー容器の装着部のみを開放可能とする扉を有することを特徴とする前記１又は前記２に記載の画像形成装置。
【００２５】
４．前記扉の開放及び前記容器受け部の取り出しを前記画像形成装置本体を停止させることなく行うことを可能にしたことを特徴とする前記１〜３のいずれか１項に記載の画像形成装置。
【００２６】
５．前記容器受け部に、該容器受け部の前記画像形成装置本体からの取り出しをロックする解除可能なロック手段を設けたことを特徴とする前記１〜４のいずれか１項に記載の画像形成装置。
【００２７】
６．前記容器受け部は前記画像形成装置本体の前面と後面とを結ぶ奥行き方向の側壁に平行に出入可能であることを特徴とする前記１〜５のいずれか１項に記載の画像形成装置。
７．前記開口部材受け部は前記画像形成装置本体側の係止部材に係止されるフックを有し、前記容器受け部を前記画像形成装置本体から引き出す際に、前記係止部材への前記フックの係止により、前記開口部材受け部が前記容器受け部に対して変位して前記開口部材が前記トナー排出口を覆う方向に移動してから、前記係止部材への前記フックの係止が開放され、前記トナー容器を取り外し可能な位置まで前記容器受け部と前記開口部材受け部とが引き出されることを特徴とする請求項１〜６のいずれか１項に記載の画像形成装置。
【００３４】
【発明の実施の形態】
〈画像形成装置〉
図２は本発明の実施の形態に係る画像形成装置を示し、図２（ａ）は正面図、図２（ｂ）、（ｃ）はトナー容器装着部を断面で示す上面図である。図２（ａ）は容器受け部を引き出した状態を示し、図２（ｂ）は容器受け部を画像形成装置内に収納した状態をそれぞれ示す。
【００３５】
図２（ａ）に示すように、トナー容器１０は正面側から見て、右上部に装着され、図２（ｂ）、（ｃ）に示すように長い円筒形状をしており、画像形成装置１００の側面に平行に画像形成装置１００内に収納される。
【００３６】
画像形成装置１００は上部に自動原稿搬送装置１０１を有し、下部に記録紙収納部１０４Ａ、１０４Ｂ及び１０４Ｃを有する。１００Ａはトナー容器１０の装着のために開閉されるトナー補給用の扉である。扉１００Ａは、他の扉と独立して開閉することができる。
【００３７】
１００Ｂ、１００Ｃは装置内部を開放するための従来型の扉である。扉１００Ｂ又は１００Ｃを開放するとドアスイッチが働いて画像形成装置１００は停止する。しかしながら、扉１００Ａを開放した場合には、画像形成装置１００が停止することはない。扉１００Ａを開放しトナー容器１０を取り出したときにも停止することはなく、画像形成装置１００が画像形成作動を続行する。従って、画像形成を中断することなくトナー補給、即ち、トナー容器の交換を行うことができる。
【００３８】
トナー容器１０は容器受け部２１に装着される。容器受け部２１はスライドレール２１１によって図２（ｂ）に示す位置と図２（ｃ）に示す位置とに移動可能に設けられる。スライドレール２１１は固定レール２１１Ａと移動レール２１１Ｂとからなる。
【００３９】
図３は画像形成装置１００の内部構成の概略を示す。
１０１は自動原稿搬送装置であり、多数枚の原稿を１枚ずつ読取位置に搬送する。自動原稿搬送装置１０１は両面読取機能を有する。
【００４０】
１０２は画像読取部であり、ＣＣＤからなる読取素子を有し、自動原稿搬送装置１０１により搬送される原稿又は原稿台ガラス１０２Ａに載置された原稿を読みとって画像データを生成する。
【００４１】
１０３は電子写真方式により画像を形成する画像形成部である。即ち、画像形成部１０３は、帯電、露光及び現像により感光体上にトナー像を形成し、記録紙に転写する。画像形成部１０３は画像読取部１０２が生成する画像データ又は外部から伝送された画像データに基づいて、記録紙上にトナー像を形成する。
【００４２】
記録紙収納部１０４Ａ、１０４Ｂ、１０４Ｃ又は手差し給紙台１０５から給紙された記録紙には画像形成部１０３において、トナー像が転写され、転写されたトナー像は定着装置１０６において記録紙に定着される。トナー像が定着された記録紙が排紙皿１０７に排出される。１０８は両面画像形成において、裏面画像形成時に記録紙を反転搬送する反転搬送部である。
【００４３】
トナーの補給は、トナー容器１０からトナー補給部１０９を経て画像形成部１０３の現像装置１０３Ａに画像形成により消費された分を搬送することにより行われる。
【００４４】
〈トナー容器の着脱〉
トナー容器を図４〜６により説明する。図４はトナー容器の断面図、図５はトナー容器の装着部を示す図、図６はトナー容器の分解斜視図である。また、図５（ａ）は未装着トナー容器の装着部の側面図、図５（ｂ）は図４における矢印Ｘ２から見た装着部の図、図５（ｃ）は装着されたトナー容器の装着部の側面図である。
【００４５】
トナー容器１０は、容器本体１１、固定蓋１２、開口部材１３、シール部材１４及び接着テープ１５からなる。
【００４６】
容器本体１１はトナーを収納する収納部１１Ｍ及び装着部１１Ｎからなる密閉円筒体である。容器本体の図左端部には口１１Ｂが形成され、トナーは口１１Ｂから詰められる。トナーを収納したトナー容器１０は固定蓋１２により密閉される。図右端部の装着部１１Ｎには、トナー排出口１１Ａが設けられ、トナー排出口１１Ａはシール部材１４によりシールされている。装着部１１Ｎには、雌カップリング１１Ｄが設けられ画像形成装置本体の雄カップリング（図７、８に示す）により伝達される駆動力をトナー容器１０に伝達する。トナー容器本体１１には螺旋状突起１１Ｃが容器内壁に形成されており、回転によってトナーが図の左から右方へ搬送される。装着部１１Ｎには更に、開口部材１３の移動を案内する案内溝１１Ｅが形成される。
【００４７】
装着部１１Ｎには、リング状の開口部材１３が容器回転軸Ｒに平行にスライド可能に設けられる。開口部材１３は位置決め用の鍔１３Ａ及び種類識別用の鍔１３Ｂを有する。開口部材１３には更に、案内用底つき規制溝１１Ｆが設けられる。
【００４８】
開口部材１３の鍔１３Ａ及び１３Ｂは図６に示すように、一部が欠けており、鍔１３Ａ、１３Ｂの欠けた平坦部１３Ｃをシール部材１４が周回する。シール部材１４は図６に示すように可撓性のテープの両端を接合したものであり、装着部１１Ｎに接着され、トナー排出口１１Ａを密閉している。
【００４９】
図７、８によりトナー容器の装着を説明する。
図７は図２（ｂ）のように画像形成装置本体１００の装着部２０から取り出した容器受け部２１を示し、図８は装着部２０に挿入された容器受け部２１を示す。図７における矢印Ｗ１のようにトナー容器１０を容器受け部２１に落とし込み、次に、Ｗ２のように容器受け部２１を移動させて装着部２０に結合することによりトナー容器１０が装着部２０に装着される。
【００５０】
図８の状態では、開口部材１３は容器本体１１に対して図５（ｃ）の状態に移動しており、シール部材１４を剥離し、トナー排出口１１Ａは開口されている。開口部材１３のこのような移動は、鍔１３Ｂが装着部２０の開口部材作用部としての着脱口２０Ａで押されることによる。２２はスポンジからなる密閉部材であり、挿入されたトナー容器１０を密閉する。なお、前記開口部材作用部としては、開口部材受け部２３に作用し開口部材受け部２３を介して開口部材１３を移動させる構成でもよい。トナー容器１０が装着部２０に装着された状態では、装着部２０の雄カップリング３２とトナー容器１０の雌カップリング１１Ｄとが結合可能な状態となって、モータＭ１の回転により雄カップリング３２が回転したときに、バネ３３の作用で両者は結合する。トナー容器１０は駆動系３０及びカップリング１１Ｄ、３２を介してモータＭ１により回転駆動される。トナー容器１０の装着時は、鍔１３Ｂを利用したトナー容器の種類の識別が行われ、例えば、トナーの色が異なるなど、装着部２０に装着すべきものと異なるトナー容器が装着されたときには、鍔１３Ｂが開口部材受け部２３に設けた突起２３Ａに整合せず、正しいトナー容器のみが装着される。
【００５１】
モータＭ１によりトナー容器１０は回転駆動され、トナーは螺旋状の突起１１Ｃによりトナー排出口１１Ａへ搬送される。トナー排出口１１Ａから流出したトナーは装着部２０に設けられた落下口２０Ｂから落下して搬送スクリュー１１６、１１７からなるトナー補給装置により搬送され、現像装置１０３Ａ（図３に示す）に供給される。搬送スクリュー１１６、１１７はモータＭ２により駆動される。
【００５２】
次に、トナー容器１０の装着の際のシール部材１４の剥離について、トナー排出口１１Ａの開口過程を示す図９により説明する。
【００５３】
図９（ａ）はトナー容器１０が未装着の状態を示し、図９（ｂ）は装着された状態を示す。
【００５４】
図９（ａ）に示すように、シール部材１４は未装着の状態では、接着材１６により装着部１１Ｎに接着されており、トナー排出口１１Ａを密閉している。トナー容器１０の画像形成装置１００への装着により、前記に説明したように開口部材１３はトナー容器本体１１に対して図左方向に移動して、開口部材１３を周回しているシール部材１４は開口部材１３に追随して移動するので、接着が剥離される。この剥離過程において、シール部材１４の余裕分１４Ａは図９（ａ）では、左側、即ち、開口部材１３の移動方向の先方側に形成されているが、装着された状態では、図９（ｂ）に示すように、移動方向の後方側に形成されている。このようなシール部材１４の余裕分１４Ａによって、トナー排出口１１Ａは開口部材、言い換えると、トナー容器１０の移動の初期においては、開口されないである程度移動した後に始めて開口される。このようなシール部材１４の開口機構によって、トナー容器１０の着脱の際のトナー漏れやトナー飛散が防止される。
【００５５】
１５は抑え部材としての接着テープであり、余裕分１４Ａによるシール部材１４の浮き上がりを防止する。
【００５６】
次に、容器受け部２１のロック手段及び開口部材１３の駆動機構を図７、１０及び１１により説明する。
【００５７】
容器受け部２１の左端部に形成された取っ手部には、圧縮バネＳ３により時計方向に付勢されたロックレバー１４０が設けられる。ロックレバー１４０を圧縮バネＳ３に抗して反時計方向に回転させることによって、ロックが解除されて、容器受け部２１を図７における左方向に移動させて画像形成装置から引き出すことができる。
【００５８】
図１０は図７におけるＸ３から見たトナー容器１０及び容器受け部２１の側面図、図１１は図１０における線Ｘ４−Ｘ４に沿った断面図である。
【００５９】
容器受け部２１には、開口部材受け部２３が設けられ、スライドレール２１１に支持される。容器受け部２１と開口部材受け部２３とは案内溝１４６と案内ピン１４７とによって案内されて、開口部材受け部２３の容器受け部２１に対する相対移動を可能にしている。
【００６０】
トナー容器１０が容器受け部２１に装着されると、トナー容器１０は容器受け部２１により支持されるとともに、開口部材受け部２３により支持される。
【００６１】
開口部材受け部２３には、その底部にフック１４２が軸１４２Ａによって、フック１４４が軸１４４Ａによりそれぞれ回転可能に支持されている。フック１４２は引っ張りバネＳ１により時計方向に付勢され、フック１４４は圧縮バネＳ２によって反時計方向に付勢される。図１１（ａ）は容器受け部２１が装着部２０に装着されていない状態を示し、図１１（ｂ）は装着された状態を示す。
【００６２】
容器受け部２１が未装着の状態では、容器受け部２１に対して、開口部材受け部２３は図７及び図１１（ａ）の状態にあり、フック１４４は容器受け部２１に設けた突起１４５により押されて、時計方向に最も回転した位置にある。この位置では、フック１４２はフリーであり、引っ張りバネＳ１により付勢されて最も時計方向に回転した位置にある。
【００６３】
容器受け部２１を画像形成装置本体の装着部２０に装着すると、突起１４５がフック１４４から離れるとともに、フック１４２が容器受け部２１に設けた突起１４３により引っ張りバネＳ１の付勢に抗して反時計方向に回転する。その結果、図１１（ｂ）のように、フック１４４がフック１４２の復帰を妨げる状態になって、フック１４２が係止される。フック１４２は、また、画像形成装置本体に設けた係止部材１４８により係止される。このようにして、容器受け部２１を画像形成装置１００の所定位置に装着したときに、開口部材１３を開口部材受け部２３に係止した状態が形成される。その結果、トナー容器１０は画像形成装置内の正規の位置に固定され、トナー容器１０の回転時のトナー容器１０のずれが防止される。
【００６４】
装着されたトナー容器１０を取り出すときには、単に、容器受け部２１を引き出すだけでよい。即ち、図８及び図１１（ｂ）の状態で容器受け部２１を画像形成装置本体から引き出すと、画像形成装置本体に固定した係止部材１４８により開口部材受け部２３が係止されている結果、最初に容器受け部２１に対して開口部材受け部２３が変位して、開口部材１３はトナー排出口１１Ａを覆う方向へ移動する。この動作において、突起１４５がフック１４４を押すとともに、突起１４３がフック１４２を開放するので、図１１（ｂ）の状態から、フック１４２が時計方向に回転し、フック１４４が時計方向に回転して図１１（ａ）の状態が形成される。図１１（ａ）の状態は、開口部材１３及びシール部材１４がトナー排出口１１Ａを閉鎖した状態である。
【００６５】
このように、トナー容器１０を画像形成装置１００から取り出す過程における、トナー容器１０を容器受け部２１から取り外し可能になった段階では、開口部材１３は開口部材受け部２３により駆動されてトナー容器本体１１に対して、図１１（ａ）と図５（ａ）の状態に移動しており、開口部材１３とシール部材１４とでトナー排出口１１Ａを閉じている。従って、トナー容器１０を取り出す際に発生しやすいトナーの漏れやトナー飛散が良好に防止される。
【００６６】
【発明の効果】
請求項１の発明により、▲１▼容器受け部を画像形成装置本体から取り出し、▲２▼取り出した容器受け部から空のトナー容器を取り外す、▲３▼新しい容器を容器受け部に装着する、▲４▼容器受け部を画像形成装置本体に挿入する、という少ない手順で簡単にトナー容器の交換を行うことができる。しかも、この交換操作により取り出されたトナー容器はトナー排出口が閉じている。従って、トナー容器の交換時に生じやすい手や衣服等の汚れが起きることはなく、簡単で清潔な交換作業となる。
【００６７】
請求項２の発明により、大型のトナー容器でも安定して装脱することが可能になり、高速機のように大量にトナーを消費する画像形成装置においても簡単にトナー容器の交換を行うことが可能になる。
【００６８】
請求項３の発明により、トナー補給のときに、トナー容器の装着部以外の装置部分が開放されないので、安全であり、また、トナー補給が装置の他の部分の作動に影響することがない。
【００６９】
前扉を開けてトナー容器を取り出し、装着する方式では前扉の開放によってドアスイッチが作動して装置が停止し、トナー補給の終了後に装置の作動を再開するのに時間を要するなど、作業効率を下げる問題があったが、請求項４の発明により、装置の作動を停止することなくトナー補給を行うことが可能になるので、このような効率の低下はなくなる。
【００７０】
請求項５の発明により、容器受け部は確実に画像形成装置本体に係止されるとともに、ワンタッチで容器受け部を取り出すことができる。
【００７１】
請求項６の発明により、画像形成装置の奥行きの長さが短縮され、画像形成装置の設置スペースを圧縮することができる。特に、大型のトナー容器が装着される画像形成装置においても、トナー容器装着用のスペースのために画像形成装置の奥行きの長さが増大することがないので、高速機のように大量のトナーが消費される画像形成装置においても、装置の設置スペースを実質的に増やさない。
請求項７の発明により、トナー容器を取り出す際に発生しやすいトナーの漏れやトナー飛散が良好に防止される。
【図面の簡単な説明】
【図１】従来の画像形成装置を示す図である。
【図２】本発明の実施の形態に係る画像形成装置を示す図である。
【図３】本発明の実施の形態にかかる画像形成装置の内部構成の概略を示す図である。
【図４】トナー容器の断面図である。
【図５】トナー容器のトナー排出口近傍の構造を示す図である。
【図６】トナー容器のトナー排出口近傍部分の分解斜視図である。
【図７】画像形成装置本体から取り出した容器受け部を示す図である。
【図８】画像形成装置本体に挿入された容器受け部を示す図である。
【図９】トナー容器におけるトナー排出口の開口過程を示す図である。
【図１０】図７におけるＸ３の方向から見たトナー容器の図である。
【図１１】図１０におけるＸ４−Ｘ４に沿った断面図である。
【符号の説明】
１０  トナー容器
１１Ａ  トナー排出口
１２  固定蓋
１３  開口部材
１３Ａ、１３Ｂ  鍔
１４  シール部材
１１Ｎ、２０  装着部
２０Ａ  着脱口
２１  容器受け部
２３  開口部材受け部
３０  駆動系
３２  雄カップリング
Ｍ１、Ｍ２  モータ
１００  画像形成装置
１００Ａ  扉
２１１  スライドレール
【図１】
0003952705.tif 000002
【図２】
0003952705.tif 000003
【図３】
0003952705.tif 000004
【図４】
0003952705.tif 000005
【図５】
0003952705.tif 000006
【図６】
0003952705.tif 000007
【図７】
0003952705.tif 000008
【図８】
0003952705.tif 000009
【図９】
0003952705.tif 000010
【図１０】
0003952705.tif 000011
【図１１】
0003952705.tif 000012